【手続補正書】
【提出日】平成25年10月30日(2013.10.30)
【手続補正１】
【補正対象書類名】特許請求の範囲
【補正対象項目名】全文
【補正方法】変更
【補正の内容】
【特許請求の範囲】
【請求項１】
構造体（１０）の再加工領域に用いられるサロゲートパッチアセンブリ（５０）であって、
再加工領域から水分を吸い取る材料でできたサロゲートパッチ本体（５２）と、
サロゲートパッチ本体（５２）に装着された、
再加工領域およびサロゲートパッチ本体（５２）のうちの少なくとも一つの温度を検出する熱センサ（７０）、および
サロゲートパッチ本体（５２）の水分を検出する水分センサ（７４）
のうちの少なくとも一つであるセンサ（７０、７４）と
を含むサロゲートパッチアセンブリ。
【請求項２】
水分センサ（７４）が、湿度検出ストリップと電気化学インピーダンス分光（ＥＩＳ）センサのうちの少なくとも一つを含む、請求項１に記載のサロゲートパッチアセンブリ。
【請求項３】
サロゲートパッチ本体（５２）が、複数の水分センサ（７４）が装着された上面を含んでいる、請求項１に記載のサロゲートパッチアセンブリ。
【請求項４】
サロゲートパッチ本体（５２）が上面および下面を有し、センサ（７０、７４）の少なくとも一つが、上面または下面に取り付けられているか、或いは上面と下面との間のサロゲートパッチ本体（５２）内に組込まれている、請求項１に記載のサロゲートパッチアセンブリ。
【請求項５】
サロゲートパッチ本体（５２）が複数の層を含み、
センサ（７０、７４）の少なくとも一つが一対の層の間に挿入されている、
請求項１に記載のサロゲートパッチアセンブリ。
【請求項６】
再加工領域がパッチを受け入れる構成となっており、
サロゲートパッチ本体（５２）が、パッチの比熱容量および熱伝動率のうちの少なくとも１つとほぼ等しい比熱容量および熱伝導率を有する、
請求項１に記載のサロゲートパッチアセンブリ。
【請求項７】
再加工領域内に受入れ可能なパッチを用いて構造体（１０）を修理するサロゲートパッチシステム（４８）であって、
請求項１ないし６のいずれか一項に記載されたサロゲートパッチアセンブリ（５０）と、
パッチの熱特性とほぼ同様の熱特性を有する非複合材料でできた前記サロゲートパッチ本体（５２）であって、熱特性が比熱容量および熱伝動率のうちの少なくとも１つを含むサロゲートパッチ本体（５２）と、
サロゲートパッチ本体（５２）に装着されて、サロゲートパッチ本体（５２）の温度を感知する少なくとも一つの熱センサ（７０）と、
再加工領域に装着されて、再加工領域の温度を感知する少なくとも一つの熱センサ（４０）と
を含むシステム。
【請求項８】
サロゲートパッチ本体（５２）が再加工領域から水分を吸い取る材料でできている、請求項７に記載のサロゲートパッチシステム。
【請求項９】
サロゲートパッチ本体（５２）が、本体に装着された複数の水分センサ（７４）を含んでいる、請求項７に記載のサロゲートパッチシステム。
【請求項１０】
サロゲートパッチ本体（５２）が複数の層を含み、
熱センサ（７０）および水分センサ（７４）のうちの少なくとも１つが一対の層の間に挿入されている、
請求項９に記載のサロゲートパッチシステム。
【請求項１１】
構造体（１０）が、上面（１６）および下面（１８）を含み、かつ再加工領域に隣接する下面（１８）に装着された少なくとも一つのヒートシンク（２８）を有し、システムが、
底面（１８）上のヒートシンク（２８）の位置とは反対の上面（１６）に装着された少なくとも１つの熱センサ（７０）
をさらに含む、請求項７に記載のサロゲートパッチシステム。
【請求項１２】
上面（１６）および下面（１８）を有する複合構造体（１０）の修理方法であって、
複合構造体（１０）の再加工領域から湿気を吸い取る材料でサロゲートパッチ本体（５２）を形成するステップ（２００）、
少なくとも１つのセンサ（７０、７４）をサロゲートパッチ本体（５２）に装着するステップ（２０２、２０４）、
再加工領域にサロゲートパッチ本体（５２）を取り付けるステップ（２１２）、ならびに
下記：
再加工領域の熱的調査を実施すること（２２６）
再加工領域から水分を除去すること
のうちの少なくとも１つを行うステップ
を含む方法。
【請求項１３】
少なくとも１つの熱センサ（７０）を再加工領域に装着するステップ（２０８）
をさらに含む、請求項１２に記載の方法。
【請求項１４】
少なくとも１つのセンサを再加工領域に装着するステップが、
サロゲートパッチ本体（５２）に、再加工領域とサロゲートパッチ本体（５２）のうちの少なくとも１つの温度を検出する少なくとも１つの熱センサ（７０）を装着すること（２０２）、および
サロゲートパッチ本体（５２）に、再加工領域から吸い取られた水分を感知する少なくとも１つの水分センサ（７４）を装着すること（２０４）
を含む、請求項１２に記載の方法。
【請求項１５】
バギングフィルム（１１６）を用いてサロゲートパッチ本体（５２）を上面（１６）に真空バギング処理するステップ（２２０）、および
バギングフィルム（１１６）に真空を印加するステップ（２２４）
をさらに含む、請求項１２に記載の方法。
【手続補正２】
【補正対象書類名】明細書
【補正対象項目名】００５６
【補正方法】変更
【補正の内容】
【００５６】
本発明のさらなる変形例、および改良形態は、当業者には自明であろう。すなわち、本明細書に説明および図示した部品の特定の組み合わせは、本発明の開示内容の特定の実施形態のみを示すことを意図しており、本発明の精神および範囲内において代替え的な実施形態または装置を限定するものではない。
また、本願は以下に記載する態様を含む。
（態様１）
構造体の再加工領域に用いられるサロゲートパッチアセンブリであって、
再加工領域から水分を吸い取る材料でできたサロゲートパッチ本体と、
サロゲートパッチ本体に装着された、
再加工領域およびサロゲートパッチ本体のうちの少なくとも一つの温度を検出する熱センサ、および
サロゲートパッチ本体の水分を検出する水分センサ
のうちの少なくとも一つであるセンサと
を含むサロゲートパッチアセンブリ。
（態様２）
水分センサが、湿度検出ストリップと電気化学インピーダンス分光（ＥＩＳ）センサのうちの少なくとも一つを含む、態様１に記載のサロゲートパッチアセンブリ。
（態様３）
サロゲートパッチ本体が、複数の水分センサが装着された上面を含んでいる、態様１に記載のサロゲートパッチアセンブリ。
（態様４）
サロゲートパッチ本体が上面および下面を有し、センサの少なくとも一つが、上面または下面に取り付けられているか、或いは上面と下面との間のサロゲートパッチ本体内に組込まれている、態様１に記載のサロゲートパッチアセンブリ。
（態様５）
サロゲートパッチ本体が複数の層を含み、
センサの少なくとも一つが一対の層の間に挿入されている、
態様１に記載のサロゲートパッチアセンブリ。
（態様６）
再加工領域がパッチを受け入れる構成となっており、
サロゲートパッチ本体が、パッチの比熱容量および熱伝動率のうちの少なくとも１つとほぼ等しい比熱容量および熱伝導率を有する、
態様１に記載のサロゲートパッチアセンブリ。
（態様７）
再加工領域内に受入れ可能なパッチを用いて構造体を修理するサロゲートパッチシステムであって、
パッチの熱特性とほぼ同様の熱特性を有する非複合材料でできたサロゲートパッチ本体であって、熱特性が比熱容量および熱伝動率のうちの少なくとも１つを含むサロゲートパッチ本体と、
サロゲートパッチ本体に装着されて、サロゲートパッチ本体の温度を感知する少なくとも一つの熱センサと、
再加工領域に装着されて、再加工領域の温度を感知する少なくとも一つの熱センサと
を含むシステム。
（態様８）
サロゲートパッチ本体が再加工領域から水分を吸い取る材料でできている、態様７に記載のサロゲートパッチシステム。
（態様９）
サロゲートパッチ本体が、本体に装着された複数の水分センサを含んでいる、態様７に記載のサロゲートパッチシステム。
（態様１０）
サロゲートパッチ本体が複数の層を含み、
熱センサおよび水分センサのうちの少なくとも１つが一対の層の間に挿入されている、
態様９に記載のサロゲートパッチシステム。
（態様１１）
構造体が、上面および下面を含み、かつ再加工領域に隣接する下面に装着された少なくとも一つのヒートシンクを有し、システムが、
底面上のヒートシンクの位置とは反対の上面に装着された少なくとも１つの熱センサ
をさらに含む、態様７に記載のサロゲートパッチシステム。
（態様１２）
上面および下面を有する複合構造体の修理方法であって、
複合構造体の再加工領域から湿気を吸い取る材料でサロゲートパッチ本体を形成するステップ、
少なくとも１つのセンサをサロゲートパッチ本体に装着するステップ、
再加工領域にサロゲートパッチ本体を取り付けるステップ、ならびに
下記：
再加工領域の熱的調査を実施すること
再加工領域から水分を除去すること
のうちの少なくとも１つを行うステップ
を含む方法。
（態様１３）
少なくとも１つの熱センサを再加工領域に装着するステップ
をさらに含む、態様１２に記載の方法。
（態様１４）
少なくとも１つのセンサを再加工領域に装着するステップが、
サロゲートパッチ本体に、再加工領域とサロゲートパッチ本体のうちの少なくとも１つの温度を検出する少なくとも１つの熱センサを装着すること、および
サロゲートパッチ本体に、再加工領域から吸い取られた水分を感知する少なくとも１つの水分センサを装着すること
を含む、態様１２に記載の方法。
（態様１５）
バギングフィルムを用いてサロゲートパッチ本体を上面に真空バギング処理するステップ、および
バギングフィルムに真空を印加するステップ
をさらに含む、態様１２に記載の方法。